(57)【要約】【課題】ロータリーカバーに均平板を簡単な構造で取り付けられ、均平作業と畝立て作業とを容易に切り替えられるようにする技術を提供することを課題とする。【解決手段】前記ロータリーカバー２３の後端辺に、左右方向に所定間隔をあけて側面視略Ｕ字状のカバー側掛止部２３ａ・２３ｂ・２３ｃを設け、均平板５１の前端辺に、前記カバー側掛止部２３ａ（２３ｂ）（２３ｃ）とカバー側掛止部２３ａ（２３ｂ）（２３ｃ）との間に配置される側面視略逆Ｕ字状の均平板側掛止部５２ｂ・５２ｃ・５３ｃを設け、前記カバー側掛止部２３ａ・２３ｂ・２３ｃと均平板側掛止部５２ｂ・５２ｃ・５３ｃとを支点軸５５により着脱可能に支持する。【選択図】図６
2010172220.tif 000002
【特許請求の範囲】
【請求項１】
走行部の後部にローター耕耘装置を配設し、
該ローター耕耘装置のロータリーの上方を覆うロータリーカバーを備える管理機において、
前記ロータリーカバーの後端辺に、左右方向に所定間隔をあけて側面視略Ｕ字状のカバー側掛止部を設け、
均平板の前端辺に、前記カバー側掛止部とカバー側掛止部との間に配置される側面視略逆Ｕ字状の均平板側掛止部を設け、
前記カバー側掛止部と均平板側掛止部とを支点軸により着脱可能に支持する
ことを特徴とする管理機。
【請求項２】
前記均平板は、機体左右中央に配設される第一均平板と、
前記第一均平板の左右両側に配置され、前記第一均平板に対して回動自在に支持される第二均平板と、
により構成し、
前記支点軸は軸心方向に摺動自在に配設され、
前記第二均平板に設けた均平板側掛止部より前記支点軸を抜脱することで、前記第二均平板は機体後方に回動可能となる
ことを特徴とする請求項１に記載の管理機。
【請求項３】
前記ローター耕耘装置の後部において、
上下摺動可能に設けた耕深調節バーの下端部に固定部材を設け、
該固定部材を前記均平板の後面下端部に固定可能に構成する
ことを特徴とする請求項１に記載の管理機。
【発明の詳細な説明】
【技術分野】
【０００１】
本発明は、管理機の後部に装着したローター耕耘装置の後部に設ける均平板の技術に関する。
【背景技術】
【０００２】
従来から、圃場における耕耘作業等においては、複数の耕耘爪からなるロータリーを備えたローター耕耘装置を機体後部に装着し、該ローター耕耘装置の後部に均平板を装着した歩行型の管理機が知られている。
前記管理機では、ロータリーの上方を覆うロータリーカバーの後部にヒンジ部品を設け、該ヒンジ部品を介して上下回動自在にリヤカバーを設けたうえで、該リヤカバーに均平板を連設する構造のものが知られており、作業者は耕耘作業に際して、機体を前進させると同時に、均平板によって圃場の表層部を均し、整地する（例えば、特許文献１を参照。）。
【先行技術文献】
【特許文献】
【０００３】
【特許文献１】特許第２７０９７８０号公報
【発明の概要】
【発明が解決しようとする課題】
【０００４】
このように、前記「特許文献１」に示すような管理機の場合、リヤカバーはヒンジ部品を介して取り付けられるものであり、均平板はリヤカバーの後端に固定部材により取り付けられるものであるため、均平作業を行うには別途均平板が必要であり、取付作業が必要となる。また、畝立て作業を行うには均平板を取り外して、畝立て作業機を取り付ける必要がある。また、リヤカバーを取り付けるためにはヒンジ部品が必要であり、工具を用いて取り付けが行われていた。
そこで、本発明においては、ロータリーカバーに均平板を簡単な構造で取り付けられ、均平作業と畝立て作業とを容易に切り替えられるようにする技術を提供することを課題とする。
【課題を解決するための手段】
【０００５】
本発明の解決しようとする課題は以上の如くであり、次にこの課題を解決するための手段を説明する。
【０００６】
即ち、請求項１においては、走行部の後部にローター耕耘装置を配設し、該ローター耕耘装置のロータリーの上方を覆うロータリーカバーを備える管理機において、前記ロータリーカバーの後端辺に、左右方向に所定間隔をあけて側面視略Ｕ字状のカバー側掛止部を設け、均平板の前端辺に、前記カバー側掛止部とカバー側掛止部との間に配置される側面視略逆Ｕ字状の均平板側掛止部を設け、前記カバー側掛止部と均平板側掛止部とを支点軸により着脱可能に支持するものである。
【０００７】
請求項２においては、前記均平板は、機体左右中央に配設される第一均平板と、前記第一均平板の左右両側に配置され、前記第一均平板に対して回動自在に支持される第二均平板と、により構成し、前記支点軸は軸心方向に摺動自在に配設され、前記第二均平板に設けた均平板側掛止部より前記支点軸を抜脱することで、前記第二均平板は機体後方に回動可能となるものである。
【０００８】
請求項３においては、前記ローター耕耘装置の後部において、上下摺動可能に設けた耕深調節バーの下端部に固定部材を設け、該固定部材を前記均平板の後面下端部に固定可能に構成するものである。
【発明の効果】
【０００９】
本発明の効果として、以下に示すような効果を奏する。
【００１０】
請求項１においては、別途ヒンジ部材を必要とせず、簡単な構造で容易に均平板をロータリーカバーに取り付けることが可能となり、コスト低減化も図れる。
【００１１】
請求項２においては、畝立て作業機を別途用意して取り付ける必要がなく、工具を必要とせず容易に耕耘作業と畝立て作業との切替が可能となる。
【００１２】
請求項３においては、工具を必要とせず容易に畝立て作業機の形状に変更できるようになり、耕耘作業と畝立て作業とを容易に切り替えることができる。
【図面の簡単な説明】
【００１３】
【図１】本発明の一実施例に係る管理機の全体的な構成を示した側面図。
【図２】均平板の全体的な構成を示した背面図。
【図３】均平板の左側部の構成を示した背面図。
【図４】均平板上部の支点軸近傍の断面を示した図であり（ａ）は図３における矢視Ａ−Ａ’から見た断面側面図、（ｂ）は同じく矢視Ｂ−Ｂ’から見た断面側面図、（ｃ）は同じく矢視Ｃ−Ｃ’から見た断面側面図、（ｄ）は同じく矢視Ｄ−Ｄ’から見た断面側面図、（ｅ）は同じく矢視Ｅ−Ｅ’から見た断面側面図、（ｆ）は同じく矢視Ｆ−Ｆ’から見た断面側面図、（ｇ）は同じく矢視Ｇ−Ｇ’から見た断面側面図。
【図５】同じく支点軸の摺動状態を示した背面図。
【図６】均平板の折曲状態を示した背面図。
【図７】耕耘作業部近傍を示した側面図。
【発明を実施するための形態】
【００１４】
次に、発明の実施の形態を説明する。
［管理機１の全体構成］
まず、本実施例に係る管理機１の全体構成について、図１を用いて説明する。
管理機１は前後中央にミッション部２、その前部に原動機部３、その後部にローター耕耘装置５を配設している。ミッション部２は側面視略へ字状に形成され、該ミッション部２の前側下部を走行部４とし、該ミッション部２の前後中央上部からハンドル２６が後部上方へ延設されて、該ハンドル２６後部を操作部６としている。
【００１５】
前記ミッション部２の左側面には入力軸１１が突設され、前記ミッション部２内部には変速機構が収納され、原動機部３の駆動力が前記入力軸１１に伝えられ、変速機構を介して走行部４やローター耕耘装置５に伝達されるようになっている。
【００１６】
前記原動機部３は、ミッション部２の前部に取付けられる原動機載置台１２や、該原動機載置台１２の上部に載設される原動機１３等により構成される。
【００１７】
前記走行部４は、ミッション部２の前下部に左右水平方向に支持される車軸１６・１６や、該車軸１６・１６の左右両端部に固設される車輪１７・１７等により構成される。
【００１８】
前記ローター耕耘装置５は、ミッション部２の後下部に左右水平方向に支持される耕耘爪軸１８や、該耕耘爪軸１８上に植設される複数の耕耘爪２０・２０・・・や、ロータリーカバー２３等により構成される。また、該耕耘爪軸１８と複数の耕耘爪２０・２０・・・とによりロータリー２１が構成される。
【００１９】
前記ロータリーカバー２３は耕耘爪２０・２０・・・の回動軌跡２２の上方を覆い、該ロータリーカバー２３の後部には、後述する均平板５１が支点軸５５を介して前後揺動自在に吊設される。
【００２０】
前記ミッション部２の後部上からは支持ブラケット２４が後上方に向かって延設され、該支持ブラケット２４に耕深調節バー２５が上下位置調節可能に取り付けられている。該耕深調節バー２５は、ローター耕耘装置５により作業を行う時に耕耘深さを調節するためのものであり、また、左右中央部の残耕部分を耕起処理する残耕処理具としての機能をも有している。
【００２１】
耕深調節バー２５の下端部には、後方に突出する底板１９が設けられ、該底板１９の後端部には、固定部材５６が設けられている。該固定部材５６は、均平板５１の左右中央の下端部を固定するためのものである。
【００２２】
前記操作部６は、平面視略門型状に形成され、前部がミッション部２の前後中央部に固設されるハンドル２６と、該ハンドル２６の後端部に取り付けられるクラッチレバー２７と、ミッション部２の前後中央部より後上方に突出される変速レバー２８等を備える。
【００２３】
［均平板５１］
次に、本発明に係る均平板５１の詳細について、図２乃至図４を用いて説明する。なお、図４における矢印Ｚは前方を示すものであり、以下これに基づいて左右方向を規定する。
【００２４】
均平板５１は、ロータリーカバー２３の後端辺に取り付けられる。即ち、ロータリーカバー２３の後端辺には左右方向に所定間隔をあけて側面視略Ｕ字状に形成したカバー側掛止部２３ａ・２３ｂ・２３ｃが設けられ、均平板５１の前端辺には、側面視略逆Ｕ字状に形成した均平板側掛止部５２ｂ・５２ｃ・５３ｃが所定間隔をあけて設けられる。
【００２５】
前記カバー側掛止部２３ａ・２３ｂ・２３ｃとカバー側掛止部２３ａ・２３ｂ・２３ｃとの間には均平板側掛止部５２ｂ・５２ｃ・５３ｃが配置される。言い換えれば、取り付け状態において、カバー側掛止部２３ａ・２３ｂ・２３ｃと均平板側掛止部５２ｂ・５２ｃ・５３ｃは交互に配置される。
【００２６】
こうして前記カバー側掛止部２３ａ・２３ｂ・２３ｃと均平板側掛止部５２ｂ・５２ｃ・５３ｃとを交互に左右方向の軸心を一致させた状態で支点軸５５を挿入することにより、ロータリーカバー２３の後部に均平板５１を前後（上下）回動自在に支持することが可能となる。
【００２７】
そして、前記支点軸５５を、これらカバー側掛止部２３ａ・２３ｂ・２３ｃと均平板側掛止部５２ｂ・５２ｃ・５３ｃとから外すことにより、均平板５１をロータリーカバー２３から取り外すことが可能であり、均平板５１をロータリーカバー２３より容易に着脱することができるのである。
【００２８】
図２に示すように、前記均平板５１は、機体左右中央に配設される第一均平板５２と、該第一均平板５２の左右両側に配設される第二均平板５３Ｒ・５３Ｌとにより構成される。
まず、第一均平板５２について、説明する。
第一均平板５２は後面視逆台形状に形成される板部材からなる。該第一均平板５２は本実施例では左右に分割され、左右対称に構成されているので、左側の第一均平板５２について説明する。
なお、本実施例においては、第一均平板５２を左右中央で分割した構成としているが、これに限定されるものではなく、一体として形成してもよい。
【００２９】
第一均平板５２の機体左右方向外側の側辺（斜辺）の上下中途には、筒状のヒンジ部材（筒状部材）５２ａが設けられ、該第一均平板５２の上側辺には、機体左右中央側に第一均平板側掛止部５２ｂが設けられ、該第一均平板側掛止部５２ｂから所定間隔をあけて第二均平板側掛止部５２ｃが設けられている。
【００３０】
図３、図４（ａ）に示すように、第一均平板側掛止部５２ｂは、第一均平板５２の機体左右中央側の上側辺から矩形片を上方に突出して側面視略Ｕ字状に折り曲げ形成され、前方が開放する構成とし、その内部空間には後述する支点軸５５を収納できる大きさとしている。つまり、第一均平板側掛止部５２ｂの曲率半径は支点軸５５の半径よりも若干大きく構成している。
【００３１】
また、第二均平板側掛止部５２ｃは、図４（ｃ）に示すように、第一均平板５２の機体左右外側の上側辺から矩形片を上方に突出して側面視略Ｌ字状に後方に折り曲げ形成されている。この屈曲部の曲率半径は支点軸５５の半径よりも若干大きく構成している。
【００３２】
このように、第一均平板５２の上側辺には、第一均平板側掛止部５２ｂと、第二均平板側掛止部５２ｃとが設けられ、この均平板側掛止部５２ｂ・５２ｃの湾曲部（あるいは屈曲部）の湾曲中心は、機体左右水平方向に延出する同一直線上となるように配設されている。
【００３３】
次に、第二均平板５３Ｒ・５３Ｌについて説明する。
第二均平板５３Ｒ・５３Ｌは板材を略台形状に形成され、機体左右中央側に斜辺を有する構成とし、該斜辺の角度、及び長さは前記第一均平板５２の斜辺の角度、及び長さと略一致させて、均平板５１全体として長方形となる形状としている。
【００３４】
左右両側の第二均平板５３Ｒ・５３Ｌは、機体中央に対して互いに左右対称となるように形成されるため、以下左側の第二均平板５３Ｌについて詳述し、右側の第二均平板５３Ｒの説明は省略する。
【００３５】
前記第二均平板５３Ｌの斜辺の中途には、二個の筒状部材５３ａ・５３ａが所定間隔をあけて固設される。該筒状部材５３ａ・５３ａの間隔は前記第一均平板５２に設けられる筒状部材５２ａの両側に位置するように配設されるとともに、該筒状部材５３ａ・５３ａと筒状部材５２ａの内径は略同一として同一軸心上に配設して回動軸５４を挿入し、第二均平板５３Ｌが第一均平板５２に対して回動自在に連結されている。
【００３６】
前記回動軸５４の両端部（或いは、一方の端部）には、付勢手段としての捻りコイルバネ３０・３０が、前記回動軸５４上に設けられ、該捻りコイルバネ３０・３０により第二均平板５３Ｌが機体前方に回動するように付勢されている。
【００３７】
第二均平板５３Ｌの上側辺の左右中央には、第三均平板側掛止部５３ｃが設けられる。
つまり、前記第三均平板側掛止部５３ｃは、図４（ｅ）に示すように、第二均平板５３Ｌの上側辺の左右中央より矩形片を上方に突出して側面視逆Ｕ状に下方が開放するように湾曲して形成され、その折り曲げ部（湾曲部）の曲率半径は、支点軸５５の半径よりも僅かに大きくなるように形成される。
【００３８】
また、第三均平板側掛止部５３ｃの湾曲部の湾曲中心は、機体左右水平方向となるようにして設けられ、前記均平板側掛止部５２ｂ・５２ｃの湾曲中心と略同一直線上となるように配設される。
【００３９】
［均平板５１の取付構造］
次に、前記均平板５１の取付構造の詳細について、図２乃至図６を用いて説明する。
ロータリーカバー２３の後下側辺には、機体中央から外方に向けて、第一カバー側掛止部２３ａ・２３ａと、第二カバー側掛止部２３ｂ・２３ｂと、第三カバー側掛止部２３ｃ・２３ｃとが各々左右対称に設けられている。
【００４０】
第一カバー側掛止部２３ａ・２３ａは、図４（ｂ）に示すように、ロータリーカバー２３の後下側辺の左右中央部において、側面視略Ｕ字状に前方が開放するように折り曲げ形成され、この折り曲げ部の曲率半径は支点軸５５の半径よりも僅かに大きくなるように形成される。前記第一カバー側掛止部２３ａは前記第一均平板側掛止部５２ｂと第二均平板側掛止部５２ｃとの間に配置される。
【００４１】
また、第三カバー側掛止部２３ｃは、ロータリーカバー２３の後下側辺の最外側に配置され、その機体内側に所定間隔をあけて第二カバー側掛止部２３ｂが配置される。つまり、該第二カバー側掛止部２３ｂと第三カバー側掛止部２３ｃの間に第三均平板側掛止部５３ｃが配置される。
【００４２】
第二カバー側掛止部２３ｂ及び第三カバー側掛止部２３ｃは、図４（ｄ）、及び図４（ｆ）に示すように、ロータリーカバー２３の後下辺側部から側面視略Ｕ状に上方が開放されるように湾曲して形成され、その湾曲部の曲率半径は、支点軸５５の半径よりも僅かに大きくなるように形成される。
【００４３】
このように、ロータリーカバー２３の後下側辺には、第一カバー側掛止部２３ａ・２３ａと、第二カバー側掛止部２３ｂ・２３ｂと、第三カバー側掛止部２３ｃ・２３ｃとが、機体中央に対して左右対称に設けられ、これらカバー側掛止部２３ａ・２３ａ・２３ｂ・２３ｂ・２３ｃ・２３ｃに形成される湾曲部の湾曲中心は、機体左右水平方向に同一直線上に配設される。
【００４４】
次に、支点軸５５について説明する。
支点軸５５は丸棒部材からなり、左右二本の支点軸５５が各々カバー側掛止部２３ａ・２３ｂ・２３ｃと均平板側掛止部５２ｂ・５２ｃ・５３ｃの湾曲部の中心を一致させた状態で、その中心部に配設され、ロータリーカバー２３の後部に均平板５１の上部を枢支する構成としている。
【００４５】
前記支点軸５５の長手方向中央部には直角方向に突出する把持部５５ａが形成され、該把持部５５ａは取り付け状態において、第二均平板側掛止部５２ｃが配設される部分に位置するように構成される。
【００４６】
つまり、ロータリーカバー２３の後下側辺の左側（或いは、右側）において、第三カバー側掛止部２３ｃと、第二カバー側掛止部２３ｂとの間に、第二均平板５３Ｌ（５３Ｒ）に設けられる第三均平板側掛止部５３ｃが配設され、第二カバー側掛止部２３ｂと、第一カバー側掛止部２３ａとの間に、第二均平板側掛止部５２ｃが配設され、第一カバー側掛止部２３ａの機体中央側の側方に、第一均平板側掛止部５２ｂが配設される。
【００４７】
そして、これらカバー側掛止部２３ａ・２３ｂ・２３ｃと、均平板側掛止部５２ｂ・５２ｃ・５３ｃとが、交互に配置されることで支点軸５５によって、均平板５１はロータリーカバー２３の後下端部に吊設されるのである。
【００４８】
つまり、カバー側掛止部２３ａ・２３ｂ・２３ｃと均平板側掛止部５２ｂ・５２ｃ・５３ｃは従来のパイプを溶接したりネジ等で固定するヒンジを用いることなく、ロータリーカバー２３の後下端部、及び、均平板５１の上端部に左右方向交互に突片を設けて、該突片を互いに反対方向に略Ｕ字状に折り曲げ形成してカバー側掛止部２３ａ・２３ｂ・２３ｃと均平板側掛止部５２ｂ・５２ｃ・５３ｃを形成することで、互いに支点軸５５に引っ掛けることとなり、ロータリーカバー２３の後下端部に均平板５１の上端部を揺動自在に係止できるようになるのである。
【００４９】
そして、カバー側掛止部２３ａ・２３ｂ・２３ｃに支点軸５５を係止した状態で、均平板５１をロータリーカバー２３の後部に対して略直角の状態で着脱することが可能となる。この状態は作業においては回動しない位置となるので、通常の作業時において均平板５１は外れることはないのである。
【００５０】
なお、支点軸５５の長手方向の寸法は、機体左右中央から均平板５１の左右両側部までの距離に比べて短く形成されており、詳しくは、支点軸５５の一端部を機体左右中央に位置させた場合に、他端部は、前記第二カバー側掛止部２３ｂの機体外方の側部に位置するように形成されている。
【００５１】
そして、支点軸５５は把持部５５ａが第二カバー側掛止部２３ｂと第一カバー側掛止部２３ａとの間の左右幅の範囲で左右摺動可能となっており、外側（図３において左側）に把持部５５ａを位置させた（図５上段に示す）状態では、支点軸５５はカバー側掛止部２３ａ・２３ｂ・２３ｃと、均平板側掛止部５２ｂ・５２ｃ・５３ｃに係止された状態となっており、第一均平板５２と第二均平板５３Ｒ・５３Ｌは一体的に前後回動する。
【００５２】
次に、把持部５５ａを内側（図３において右側）に把持部５５ａを位置させた（図５下段に示す）状態では、支点軸５５は、第三カバー側掛止部２３ｃと第三均平板側掛止部５３ｃから外れ、カバー側掛止部２３ａ・２３ｂと均平板側掛止部５２ｂ・５２ｃに係止された状態となっており、第二均平板５３Ｒ・５３Ｌは回動軸５４・５４を中心に後方に回動可能となる。
【００５３】
そして、ロータリーカバー２３の後下部の後面において、前記第二均平板側掛止部５２ｃの近傍には、支点軸５５がカバー側掛止部２３ａ・２３ｂ・２３ｃと均平板側掛止部５２ｂ・５２ｃ・５３ｃとを係止した位置で前記把持部５５ａを固定するための固定手段２９が設けられている。
【００５４】
即ち、図３に示すように、前記固定手段２９は、後方に突出する二枚の板部材２９ａ・２９ａと、ボルトや丸棒部材等からなるロックピン２９ｂと、により構成されており、前記板部材２９ａ・２９ａには予め機体左右方向に貫通する貫通孔が設けられている。
【００５５】
そして、把持部５５ａを前記板部材２９ａ・２９ａの間に配設し、該把持部５５ａの外側の位置でロックピン２９ｂを前記板部材２９ａ・２９ａに挿入して固定することで、該把持部５５ａは支点軸５５の軸心を中心に回転することができないため固定でき、支点軸５５は軸心方向に摺動することができなくなるのである。
【００５６】
なお、固定手段２９の構成は、本実施例の構成に限定されるものではなく、例えば、クランプ機構等を設けて把持部５５ａを上方に延出する姿勢に保持するものであってもよく、また、支点軸５５の軸方向への摺動動作を保持する機構であればよい。
【００５７】
このように、本発明においては、走行部４の後部にローター耕耘装置５を配設し、該ローター耕耘装置５のロータリー２１の上方を覆うロータリーカバー２３を備える管理機１において、前記ロータリーカバー２３の後端辺に、左右方向に所定間隔をあけて側面視略Ｕ字状のカバー側掛止部２３ａ・２３ｂ・２３ｃを設け、均平板５１の前端辺に、前記カバー側掛止部２３ａ（２３ｂ）（２３ｃ）とカバー側掛止部２３ａ（２３ｂ）（２３ｃ）との間に配置される側面視略逆Ｕ字状の均平板側掛止部５２ｂ・５２ｃ・５３ｃを設け、前記カバー側掛止部２３ａ・２３ｂ・２３ｃと均平板側掛止部５２ｂ・５２ｃ・５３ｃとを支点軸５５により着脱可能に支持することとしている。
【００５８】
このような構成を有することで、従来ではロータリーカバー２３の後部に均平板５１を設けるには、ヒンジ部品が必要となり、部品点数が増し、コストのかかるものであったが、本発明によれば、ロータリーカバー２３と均平板５１とに予め形成された複数の掛止部２３ａ・・・５２ｂ・・・を介して、ボルト等用いることなく支点軸５５のみを用いて均平板５１をロータリーカバー２３に取付けることができる。従って、少ない部品点数で取付構造を実現でき、組付け工数の低減化が図られ経済的である。
【００５９】
また、本発明においては、前記均平板５１は機体左右中央に配設される第一均平板５２と、前記第一均平板５２の左右両側に配置され、前記第一均平板５２に対して回動自在に支持される第二均平板５３Ｒ・５３Ｌと、により構成し、前記支点軸５５は軸心方向に摺動自在に配設され、前記第二均平板５３Ｒ・５３Ｌに設けた第三均平板側掛止部５３ｃより前記支点軸５５を抜脱することで、前記第二均平板５３Ｒ・５３Ｌは機体後方に回動可能となることとしている。
【００６０】
このような構成とすることで、畝立て用の部品を別途設けることなく、耕耘時に用いる均平板５１によって畝立て作業を行うことが可能となる。その結果、工具を必要とせず容易に耕耘作業と畝立て作業との切換えが可能となる。
【００６１】
即ち、工具等を用いてヒンジ部品を着脱する等の作業も必要なく、支点軸５５を軸心方向に摺動させて、第三均平板側掛止部５３ｃから該支点軸５５を抜脱するだけで、容易に左右両側の第二均平板５３Ｒ・５３Ｌを各々後方に回動させることが可能となる。その結果、このような状態からなる均平板５１によって圃場の表層部を均し、整地することで、土壌に押されて捻りコイルバネ３０・３０・・・の付勢力に抗して第二均平板５３Ｌ・５３Ｒが後方へと回動され、均平板５１全体の形状は正面視逆台形状となり、機体左右両側に畝立てを形成することができるのである。
【００６２】
［均平板５１の固定構造］
次に、本発明に係る均平板５１による均平作業時に、該均平板５１を下方に向けた状態で固定するための固定構造の詳細について、図７を用いて説明する。
均平板５１の固定手段は耕深調節バー２５の下端部に設けられる。
【００６３】
前記耕深調節バー２５は上下方向に延出する棒状部材より形成され、支持ブラケット２４に、下方から摺動自在に挿通される。耕深調節バー２５の前面部には、側面視半円形状の凹部が一定間隔を有して複数設けられており、該凹部の一部が、支持ブラケット２４の側面を左右方向に貫設する固定ピン９によって掛止されることで、耕深調節バー２５は支持ブラケット２４に固定保持される。
【００６４】
耕深調節バー２５の下端部には、平板状の底板１９が、後方に向かって突設される。前記底板１９は平面視にて前方に向かって窄む台形状に形成され、側面視にて耕深調節バー２５と略直角方向に溶着されている。
【００６５】
底板１９の後端部の左右中央には、上方に突設する固定部材５６が溶着されており（図２、図６を参照）、耕深調節バー２５を最下位置から上方に摺動させることで、固定部材５６も一体となって上方へと移動し、均平板５１の後面下端部、即ち第二均平板５３・５３の後面下端部に前記固定部材５６が掛止され、均平板５１が固定保持される。そして、畝立て作業時に土壌に押されて、均平板５１が後上方へと浮上らないような構成となっている。
【００６６】
このように、本発明においては、前記ローター耕耘装置５の後部において、上下摺動可能に設けた耕深調節バー２５の下端部に固定部材５６を設け、該固定部材５６を前記均平板５１の後面下端部に固定可能に構成することとしている。
【００６７】
このような構成とすることで、他に別途機構を設けることもなく簡単な構造によって、均平板５１を固定保持することができ経済的である。
【符号の説明】
【００６８】
１    管理機
４    走行部
５    ローター耕耘装置
２１    ロータリー
２３    ロータリーカバー
２３ａ  第一カバー側掛止部
２３ｂ  第二カバー側掛止部
２３ｃ  第三カバー側掛止部
２５    耕深調節バー
５１    均平板
５２    第一均平板
５２ｂ    第一均平板側掛止部
５２ｃ    第二均平板側掛止部
５３ｃ    第三均平板側掛止部
５３Ｒ    第二均平板
５３Ｌ    第二均平板
５３ｃ    第三均平板側掛止部
５５    支点軸
５６    固定部材
【図１】
2010172220.tif 000003
【図２】
2010172220.tif 000004
【図３】
2010172220.tif 000005
【図４】
2010172220.tif 000006
【図５】
2010172220.tif 000007
【図６】
2010172220.tif 000008
【図７】
2010172220.tif 000009